(57)【要約】【課題】  パスが一つしかないように検出される場合でも、受信特性を改善することが可能なＷ−ＣＤＭＡ装置を提供する。【解決手段】  サーチャ部１１は受信ベースバンド信号から相関計算を行ってパス遅延量を計算し、隣接パスの影響を考慮してフィンガ部１４−１〜１４−ｎに対してパス遅延量を通知する。つまり、サーチャ部１１はフィンガ部１４−１〜１４−ｎにパス情報を通知する際、近接パスが存在しそうであれば複数本のパス情報をフィンガ部１４−１〜１４−ｎに通知する。フィンガ部１４−１〜１４−ｎはサーチャ部１１から通知されたパス情報を基に、逆拡散、チャネル推定、同期検波を行い、すべてのパスに対してＲＡＫＥ合成を行う。【選択図】      図１
2008283320.tif 000002
【特許請求の範囲】
【請求項１】
上りアンテナ受信信号に対してパスサーチ、逆拡散、ＲＡＫＥ合成の各処理を行うＷ−ＣＤＭＡ基地局装置であって、
前記パスサーチを行った結果から近接パスの影響を考慮してパス数及びパス遅延量を算出するパスサーチ手段を有することを特徴とするＷ−ＣＤＭＡ基地局装置。
【請求項２】
前記パスサーチ手段は、前記パスサーチにおいて相関電力値を基に算出した遅延プロファイルにおけるピーク数が予め設定した第１の閾値より小さいと判断した時に１つのパスから２つのパス情報を作成してそのパス情報を前記逆拡散を行うフィンガ手段に通知することを特徴とする請求項１記載のＷ−ＣＤＭＡ基地局装置。
【請求項３】
前記パスサーチ手段は、前記パスサーチにおいて相関電力値を基に算出した遅延プロファイルにおけるピーク数が予め設定した第１の閾値より小さいと判断されかつ前記遅延プロファイルにおけるピークレベルが予め設定した第２の閾値よりも高いと判断された時に１つのパスから２つのパス情報を作成してそのパス情報を前記逆拡散を行うフィンガ手段に通知することを特徴とする請求項１記載のＷ−ＣＤＭＡ基地局装置。
【請求項４】
前記パスサーチ手段は、前記フィンガ手段に前記パス情報を通知する際にピーク値に対して±０．２５チップの２つのパス情報を通知することを特徴とする請求項２または請求項３記載のＷ−ＣＤＭＡ基地局装置。
【請求項５】
上りアンテナ受信信号に対してパスサーチ、逆拡散、ＲＡＫＥ合成の各処理を行うＷ−ＣＤＭＡ基地局装置に用いる受信特性改善方法であって、
前記Ｗ−ＣＤＭＡ基地局装置が、前記パスサーチを行った結果から近接パスの影響を考慮してパス数及びパス遅延量を算出するパスサーチ処理を実行することを特徴とする受信特性改善方法。
【請求項６】
前記Ｗ−ＣＤＭＡ基地局装置が前記パスサーチ処理を行う際に、前記パスサーチにおいて相関電力値を基に算出した遅延プロファイルにおけるピーク数が予め設定した第１の閾値より小さいと判断した時に１つのパスから２つのパス情報を作成してそのパス情報を前記逆拡散を行うフィンガ手段に通知することを特徴とする請求項５記載の受信特性改善方法。
【請求項７】
前記Ｗ−ＣＤＭＡ基地局装置が前記パスサーチ処理を行う際に、前記パスサーチにおいて相関電力値を基に算出した遅延プロファイルにおけるピーク数が予め設定した第１の閾値より小さいと判断されかつ前記遅延プロファイルにおけるピークレベルが予め設定した第２の閾値よりも高いと判断された時に１つのパスから２つのパス情報を作成してそのパス情報を前記逆拡散を行うフィンガ手段に通知することを特徴とする請求項５記載の受信特性改善方法。
【請求項８】
前記Ｗ−ＣＤＭＡ基地局装置が前記パスサーチ処理を行う場合に、前記フィンガ手段に前記パス情報を通知する際にピーク値に対して±０．２５チップの２つのパス情報を通知することを特徴とする請求項６または請求項７記載の受信特性改善方法。
【発明の詳細な説明】
【技術分野】
【０００１】
本発明はＷ−ＣＤＭＡ基地局装置及びそれに用いる受信特性改善方法に関し、特にＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）基地局装置における受信特性改善方法に関する。
【背景技術】
【０００２】
Ｗ−ＣＤＭＡの場合、３．８４Ｍｂｐｓのチップレートの分解能でパスを分解することが可能であるが、近接パスがある場合には、遅延プロファイルがひとつのパスにまとまっているように見える場合がある。例えば、０．５チップ離れ、位相差９０度で等レベルのパスが近接している場合、図３に示すように、真ん中の位置（０．２５チップの位置）をピークとした遅延プロファイルになり、パスが一つしかないように検出される。
【０００３】
近接パスをサーチする方法としては、以下の特許文献のように、有効パスのパス位置及び電力値を比較して最大電力値のパスが最近接パスかどうかを判断する方法がある。
【特許文献１】特開２００４−２６０５００号公報
【発明の開示】
【発明が解決しようとする課題】
【０００４】
上記のように、パスが一つしかないように検出される場合、サーチャから２パス通知すべきところが１パスしか通知されないという状況になり、ＲＡＫＥ合成の効果が薄れて、受信特性が劣化して見えてしまうという課題がある。尚、上記の特許文献１に記載の方法では、最近接パスをサーチしているだけであり、この課題の解決にはならない。
【０００５】
そこで、本発明の目的は上記の問題点を解消し、パスが一つしかないように検出される場合でも、受信特性を改善することができるＷ−ＣＤＭＡ基地局装置及びそれに用いる受信特性改善方法を提供することにある。
【課題を解決するための手段】
【０００６】
本発明によるＷ−ＣＤＭＡ基地局装置は、上りアンテナ受信信号に対してパスサーチ、逆拡散、ＲＡＫＥ合成の各処理を行うＷ−ＣＤＭＡ基地局装置であって、
前記パスサーチを行った結果から近接パスの影響を考慮してパス数及びパス遅延量を算出するパスサーチ手段を備えている。
【０００７】
本発明による受信特性改善方法は、上りアンテナ受信信号に対してパスサーチ、逆拡散、ＲＡＫＥ合成の各処理を行うＷ−ＣＤＭＡ基地局装置に用いる受信特性改善方法であって、
前記Ｗ−ＣＤＭＡ基地局装置が、前記パスサーチを行った結果から近接パスの影響を考慮してパス数及びパス遅延量を算出するパスサーチ処理を実行している。
【発明の効果】
【０００８】
本発明は、上記のような構成及び動作とすることで、パスが一つしかないように検出される場合でも、受信特性を改善することができるという効果が得られる。
【発明を実施するための最良の形態】
【０００９】
次に、本発明の実施例について図面を参照して説明する。図１は本発明の一実施例によるＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）基地局装置の無線信号受信部の構成例を示すブロック図である。図１において、本発明の一実施例によるＷ−ＣＤＭＡ基地局装置の無線信号受信部は、サーチャ部１１と、コード発生部１２と、遅延部１３と、フィンガ部１４−１〜１４−ｎと、ＲＡＫＥ合成部１５と、信号処理部１６とを備えている。
【００１０】
また、フィンガ部１４−１〜１４−ｎはそれぞれ、セレクタ１４１−１〜１４１−ｎと、逆拡散部１４２−１〜１４２−ｎと、チャネル推定部１４３−１〜１４３−ｎと、同期検波部１４４−１〜１４４−ｎとを備えている。
【００１１】
本実施例では、サーチャ部１１からフィンガ部１４−１〜１４−ｎに対してパス情報を通知しているが、このパス情報を作成する時に近接パスの影響を考慮して状況に応じたパス通知を行う。
【００１２】
本実施例は、Ｗ−ＣＤＭＡ基地局装置の無線信号受信部において、近接した遅延波が到達している場合に受信特性を改善させることを特徴としている。つまり、本実施例では、遅延プロファイルから近接パスが存在するかどうかの区別がつかない場合に、遅延プロファイル上において、１つのパスにしか見えないところを２つの近接パスが合成されたものだと判断して強制的に分離するようにしている。
【００１３】
サーチャ部１１は、入力信号（受信ベースバンド信号）から相関計算を行ってパス遅延量を計算し、隣接パスの影響を考慮してフィンガ部１４−１〜１４−ｎに対してパス遅延量を通知する。フィンガ部１４−１〜１４−ｎにおいては、セレクタ１４１−１〜１４１−ｎ、逆拡散部１４２−１〜１４２−ｎ、チャネル推定部１４３−１〜１４３−ｎ、同期検波部１４４−１〜１４４−ｎにて、サーチャ部１１から通知されたパス情報を基に、逆拡散、チャネル推定、同期検波を行い、すべてのパスに対してＲＡＫＥ合成部１５にてＲＡＫＥ合成を行う。
【００１４】
本実施例では、サーチャ部１１からフィンガ部１４−１〜１４−ｎにパス情報を通知する際、近接パスが存在しそうな場合に複数本のパス情報を通知しているので、受信特性の改善を実現することができる。
【００１５】
本実施例では、遅延プロファイルにおいて、ピーク数が少なく、かつピークレベルが高い時に、サーチャ部１１からフィンガ部１４−１〜１４−ｎにパス情報を通知する際、近接パスの存在を考慮してピーク値に対して±０．２５チップの２パスを通知する。
【００１６】
これによって、本実施例では、図３に示すように、真ん中の位置（０．２５チップの位置）をピークとした遅延プロファイルになり、パスが一つしかないように検出されるような場合、近接パスそれぞれのパス情報にてＲＡＫＥ合成することが可能になり、受信特性の劣化を防止することができる。
【００１７】
図２は本発明の一実施例によるＷ−ＣＤＭＡ基地局装置の無線信号受信部の動作を示すフローチャートである。これら図１及び図２を参照して本発明の一実施例によるＷ−ＣＤＭＡ基地局装置の無線信号受信部の動作、特にサーチャ部１１の動作ついて説明する。
【００１８】
サーチャ部１１はパスサーチにおいて相関電力値を基に遅延プロファイルを算出するが（図２ステップＳ１）、その算出した遅延プロファイルにおいて、ピーク数が予め設定した閾値＃１より小さいか大きいかを判断する（図２ステップＳ２）。
【００１９】
ここで、ピーク数によって処理を分ける理由は、本実施例の特徴である１つのパスから２つのパスに分解することによって（処理能力やハードウェアリソース上の制限からくる）ＲＡＫＥ合成におけるフィンガ数の上限を超えないようにすることが狙いである。
【００２０】
サーチャ部１１はピーク数がある閾値＃１より少なく、さらにピークレベルが予め設定した閾値＃２よりも高い場合（図２ステップＳ３）、１つのパスから２つのパス情報を作成し（図２ステップＳ４）、そのパス情報をフィンガ部１４−１〜１４−ｎに通知する（図２ステップＳ５）。
【００２１】
また、サーチャ部１１はピーク数が閾値＃１より多い場合、あるいはピークレベルが閾値＃２よりも低い場合、検出ピークのパス情報をそのまま採用し（図２ステップＳ６）、そのパス情報をフィンガ部１４−１〜１４−ｎに通知する（図２ステップＳ５）。
【００２２】
ここで、ピークレベルが高い場合のみ行うのは、近接パスが足し合わさって見えている時はピークレベルも高い可能性が高いことと、ピークレベルが低いレベルのパスはもともとＲＡＫＥ合成における改善寄与の割合も低いので、演算時間の節約をすることを理由としている。適切に近接パスを分離してＲＡＫＥ合成した場合には、受信特性が改善される効果がある。
【００２３】
このように、本実施例では、近接パスがある場合に、サーチャ部１１において近接パスを分離してフィンガ部１４−１〜１４−ｎに通知することによって、パスが一つしかないように検出される場合でも、受信特性が改善されるという効果がある。
【００２４】
尚、本発明の一実施例では、ピークレベルが閾値＃２を越えるかどうかで、近接パスを分離するかしないかを決めているが、ピークレベルによらず、近接パスを分離するという方法を用いてもよい。
【図面の簡単な説明】
【００２５】
【図１】本発明の一実施例によるＷ−ＣＤＭＡ基地局装置の無線信号受信部の構成例を示すブロック図である。
【図２】本発明の一実施例によるＷ−ＣＤＭＡ基地局装置の無線信号受信部の動作を示すフローチャートである。
【図３】パスが一つしかないように検出される遅延プロファイルを示す図である。
【符号の説明】
【００２６】
１１  サーチャ部
１２  コード発生部
１３  遅延部
１４−１〜１４−ｎ  フィンガ部
１５  ＲＡＫＥ合成部
１６  信号処理部
１４１−１〜１４１−ｎ  セレクタ
１４２−１〜１４２−ｎ  逆拡散部
１４３−１〜１４３−ｎ  チャネル推定部
１４４−１〜１４４−ｎ  同期検波部
【図１】
2008283320.tif 000003
【図２】
2008283320.tif 000004
【図３】
2008283320.tif 000005